(57)【要約】      （修正有）【課題】書類等を収納するファイルホルダー及び大型封筒等の板状物を持ち運ぶ際の封筒用のキャリーホルダーの両方に利用することができ、手提げ袋として使用した後においても無駄なく再利用できる手提げ袋を提供する。【解決手段】表裏一対のシートからなり、外周辺の１辺が開放され、残りの３辺が封鎖されて袋状に形成された四角形の本体部２と、手持ち部３と、本体部に一体に形成されると共に、本体部から切り取られることによって、四角形のファイルとなるファイル部４とを備え、ファイル部は、本体部の外周辺よりも面内の内側に形成され、ファイル部を本体部から切り取るための４辺の分離線５と、該４辺の分離線における直行した２辺に沿って、４辺の分離線に囲まれた面内の内側に形成され、分離線に沿ってファイル部を切り取った後の本体部は、他のシート、袋体を含む外部部材が差し込まれることにより、残りの３辺で外部部材の保持が可能になっている。【選択図】図１
2017086402.tif 000002
【特許請求の範囲】
【請求項１】
表裏一対のシートからなり、外周辺の１辺が開放され、残りの３辺が封鎖されて袋状に形成された四角形の本体部と、
前記本体部の開放された１辺の近傍に設けられた手持ち部と、
前記本体部に一体に形成されると共に、前記本体部から切り取られることによって、四角形のファイルとなるファイル部と、を備えた手提げ袋であって、
前記ファイル部は、前記本体部の外周辺よりも面内の内側に形成され、前記ファイル部を前記本体部から切り取るための４辺の分離線と、
該４辺の分離線における直行した２辺に沿って、前記４辺の分離線に囲まれた面内の内側に形成され、表裏のシートを連接状態とする接合線と、
前記分離線の一部に形成され、前記ファイル部を切り取るための手懸りとなる切り出し部とを備え、
前記分離線に沿って前記ファイル部を切り取った後の本体部は、前記開放された外周辺の１辺から、他のシート、袋体を含む外部部材が差し込まれることにより、残りの３辺で前記外部部材の保持が可能になっていることを特徴とする手提げ袋。
【請求項２】
前記分離線は、一部又は前記ファイル部の角部において、本体部面内の内側に向かって凸状に変形されて、
前記ファイル部を切り取った後の本体部において、前記外部部材を挟む挟み片部が形成されていることを特徴とする請求項１に記載の手提げ袋。
【請求項３】
前記切り出し部の近傍の前記分離線上に、前記手提げ袋の意図しない破袋を防止するために、切れ止め部が設けられ、
該切れ止め部は、前記分離線を略直角に屈曲させたものであることを特徴とする請求項１又は２に記載の手提げ袋。
【請求項４】
前記本体部が、半硬質の樹脂材料で形成されていることを特徴とする請求項１乃至３のいずれか１項に記載の手提げ袋。
【請求項５】
前記本体部を形成する表裏一対のシートが、カラー印刷されていることを特徴とする請求項１乃至４のいずれか１項に記載の手提げ袋。
【請求項６】
表裏一対のシートからなり、外周辺の１辺が開放され、該開放された１辺に対向する１辺が表裏シートを接着した底部を形成し、残りの２辺が封鎖されて袋状に形成された四角形の本体部と、
前記本体部の開放された１辺の近傍に設けられた手持ち部と、
前記本体部に一体に形成されると共に、前記本体部から切り取られることによって、四角形のファイルとなるファイル部と、を備えた手提げ袋であって、
前記ファイル部は、前記本体部の底部と本体部の封鎖された他の１辺で四角形を形成するように前記本体部面内に形成され、前記ファイル部を前記本体部から切り取るための分離線と、
前記分離線と前記底部が交わる部位に形成され、前記ファイル部を切り取るための手懸りとなる切り出し口と、
前記分離線と前記底部に設けられた切り出し口が交わる点の近傍に形成され、前記切り出し口からの前記本体部の破裂を制御するための切れ止め部を有し、前記分離線に沿って前記ファイル部を切り取った後の本体部は、前記開放された外周辺の１辺から、他のシート、袋体を含む外部部材が差し込まれることにより、残りの辺部によって前記外部部材の保持が可能になっていることを特徴とする手提げ袋。
【請求項７】
前記分離線は、一部又は前記ファイル部の角部において、本体部面内の内側に向かって凸状に変形されて、
前記ファイル部を切り取った後の本体部において、前記外部部材を挟む挟み片部が形成されていることを特徴とする請求項６に記載の手提げ袋。
【請求項８】
前記切れ止め部は、前記分離線を略直角に屈曲させたものであることを特徴とする請求項６又は７に記載の手提げ袋。
【請求項９】
前記本体部が、半硬質の樹脂材料で形成されていることを特徴とする請求項６乃至８のいずれか１項に記載の手提げ袋。
【請求項１０】
前記本体部を形成する表裏一対のシートが、カラー印刷されていることを特徴とする請求項６乃至９のいずれか１項に記載の手提げ袋。
【発明の詳細な説明】
【技術分野】
【０００１】
本発明は、手提げ袋として用いた後に、書類等を収納するためのファイルホルダー及び大型封筒等の板状物を運搬するための封筒キャリーホルダーとして利用することができる手提げ袋に関する。
【背景技術】
【０００２】
従来、商店等において客に購入商品を渡す際に手提げ袋が用いられている。このような手提げ袋は、商店独自のデザインやブランドマークが印刷されているものが多く、デザイン性に優れたものについては商品購入後手提げ袋として使用されることが多い。
また、このような手提げ袋は、他用途への転用も試みられ、例えば、特許文献１、２に記載されるように、封筒、ファイル、ブックカバー等への転用が提案されている。特許文献１、２に記載された転用例では、手提げ袋の転用した残り部分は廃棄される。
【０００３】
一方、カタログ等の書類を入れた大型封筒を持ち運ぶ際に、封筒を直接手で持つと手汗のしみが付いたり、しわになったりする場合がある。そのため、鞄や手提げ袋のように嵩張ることがなく、使い終わった後にコンパクト折りたたみポケット等に納めることのできる簡便な封筒キャリーホルダーが求められている。
【先行技術文献】
【特許文献】
【０００４】
【特許文献１】実用新案登録３１０９９３０号公報
【特許文献２】特開２０１３−１５９３４９号公報
【発明の開示】
【発明が解決しようとする課題】
【０００５】
本発明は、上記従来技術の動向、問題点に鑑みてなされたものであって、本発明の目的は、書類等を収納するファイルホルダー及び大型封筒等の板状物を持ち運ぶ際の封筒用のキャリーホルダーの両方に利用することができ、手提げ袋として使用した後においても無駄なく再利用できる手提げ袋を提供することにある。
【課題を解決するための手段】
【０００６】
上記目的を達成するためになされた本発明の一態様による手提げ袋は、表裏一対のシートからなり、外周辺の１辺が開放され、残りの３辺が封鎖されて袋状に形成された四角形の本体部と、前記本体部の開放された１辺の近傍に設けられた手持ち部と、前記本体部に一体に形成されると共に、前記本体部から切り取られることによって、四角形のファイルとなるファイル部と、を備えた手提げ袋であって、前記ファイル部は、前記本体部の外周辺よりも面内の内側に形成され、前記ファイル部を前記本体部から切り取るための４辺の分離線と、該４辺の分離線における直行した２辺に沿って、前記４辺の分離線に囲まれた面内の内側に形成され、表裏のシートを連接状態とする接合線と、前記分離線の一部に形成され、前記ファイル部を切り取るための手懸りとなる切り出し部とを備え、前記分離線に沿って前記ファイル部を切り取った後の本体部は、前記開放された外周辺の１辺から、外部部材が差し込まれることにより、残りの３辺で前記外部部材の保持が可能になっていることを特徴とする。
【０００７】
前記分離線は、一部又は前記ファイル部の角部において、本体部面内の内側に向かって凸状に変形されて、前記ファイル部を切り取った後の本体部において、前記外部部材を挟む挟み片部が形成されていることが好ましい。
【０００８】
前記切り出し部の近傍の前記分離線上に、前記手提げ袋の意図しない破袋を防止するために、切れ止め部が設けられ、該切れ止め部は、前記分離線を略直角に屈曲させたものであることが好ましい。
また、前記本体部は、半硬質の樹脂材料で形成されていることが好ましく、前記本体部を形成する表裏一対のシートは、表面がカラー印刷されていることが好ましい。
【０００９】
上記目的を達成するためになされた本発明の一態様による手提げ袋は、表裏一対のシートからなり、外周辺の１辺が開放され、該開放された１辺に対向する１辺が表裏シートを接着した底部を形成し、残りの２辺が封鎖されて袋状に形成された四角形の本体部と、前記本体部の開放された１辺の近傍に設けられた手持ち部と、前記本体部に一体に形成されると共に、前記本体部から切り取られることによって、四角形のファイルとなるファイル部と、を備えた手提げ袋であって、前記ファイル部は、前記本体部の底部と本体部の封鎖された他の１辺で四角形を形成するように前記本体部面内に形成され、前記ファイル部を前記本体部から切り取るための分離線と、前記分離線と前記底部が交わる部位に形成され、前記ファイル部を切り取るための手懸りとなる切り出し口と、前記分離線と前記底部に設けられた切り出し口が交わる点の近傍に形成され、前記切り出し口からの前記本体部の破裂を制御するための切れ止め部を有し、前記分離線に沿って前記ファイル部を切り取った後の本体部は、前記開放された外周辺の１辺から、他のシート、袋体を含む外部部材が差し込まれることにより、残りの辺部によって前記外部部材の保持が可能になっていることを特徴とする。
【００１０】
前記分離線は、一部又は前記ファイル部の角部において、本体部面内の内側に向かって凸状に変形されて、前記ファイル部を切り取った後の本体部において、前記外部部材を挟む挟み片部が形成されていることが好ましく、前記切れ止め部は、前記分離線を略直角に屈曲させたものであることが好ましい。
また、前記本体部は、半硬質の樹脂材料で形成されていることが好ましく、前記本体部を形成する表裏一対のシートが、カラー印刷されていることが好ましい。
【発明の効果】
【００１１】
本発明によれば、商店等において渡される手提げ袋の一部を切り離して、そのデザインをそのまま利用した通常クリアファイルと呼ばれる２方開きのファイルケースを作成することができ、更に切り離した残り部分を、大型封筒等の板状物の持ち運びのための嵩張らず簡便なキャリーホルダーとして利用することができる、無駄なく再利用可能な手提げ袋が得られる。
【図面の簡単な説明】
【００１２】
【図１】本発明の一実施形態に係る手提げ袋の概略平面図である。
【図２】図１の手提げ袋から切り離したファイルケースを説明するための概略図である。
【図３】図１の手提げ袋から作製した封筒キャリーホルダーを説明するための概略図である。
【図４】本発明の他の実施形態に係る手提げ袋の概略平面図である。
【図５】図４の手提げ袋から作製した封筒キャリーホルダーを説明するための概略図である。
【発明を実施するための形態】
【００１３】
本発明の実施の形態を以下に図面を参照して説明するが、本発明はこれに限定されるものではない。
図１〜３を参照すれば、本実施形態に係る手提げ袋１は、表裏一対のシートからなり、外周辺の１辺が開放され、残りの３辺が封鎖されて袋状に形成された四角形の本体部２と、本体部２の開放された１辺の近傍に設けられた開口部形状の手持ち部３と、本体部２に一体に形成されると共に、本体部２から切り取られることによって、四角形のファイルとなるファイル部４と、を備えた手提げ袋であって、ファイル部４は、本体部２の外周辺よりも面内の内側に形成され、ファイル部４を本体部２から切り取るための４辺の分離線５と、該４辺の分離線５における直行した２辺に沿って、４辺の分離線５に囲まれた面内の内側に形成され、表裏のシートを連接状態とする接合線６と、分離線５の一部に形成され、ファイル部４を切り取るための手懸りとなる切り出し部７とを備え、切り出し部７の近傍の分離線５には、切り出し部７からの手提げ袋使用中の破袋を防止するための切れ止め部８が設けられている。
分離線５に沿ってファイル部４を切り取った後の本体部２は、キャリーホルダー部９となり、開放された外周辺の１辺から、他のシート、封筒等袋体などの外部部材１０が差し込まれることにより、残りの３辺で外部部材１０の保持が可能になる。
【００１４】
ファイル部４を本体部２から切り取るための４辺の分離線５は、ミシン目線、半切れ線、細溝線、印刷線で形成することができ、手提げ袋１からの分離が容易なように、分離線５は、ミシン目線、半切れ線、細溝線で形成されることが好ましい。
分離線５が印刷線のように道具を用いずに切断不能な場合には、はさみ、カッターナイフ等の切断用具を用いる。
【００１５】
表裏のシートを連接状態とする接合線６は、４辺の分離線５における直行した２辺に沿って、４辺の分離線５に囲まれた面内の内側に形成され、表裏のシートの２辺を直線状に接合し、２方開きのファイルケースの連接部となる部位である。
表裏シートの接合は、接着剤による接合やヒートシーラー等による熱溶着などにより行うことができる。
【００１６】
ファイル部４を切り取るための手懸りとなる切り出し部７は、分離線５の一部に設けられ、分離線５の一部を切断状態にし、ファイル部４を切り取る際の切り出しを開始する部位である。
切り出し部７の設置位置は、分離線５に囲まれた四角形の角部に切れ止め部８と共に設けられることが好ましく、切れ止め部８は、分離線５が略直角に屈曲するように設けることが好ましく、これにより、手提げ袋使用中に、切り出し部７の切断部から分離線５の切断が進行して手提げ袋が破袋することを防止する。
切れ止め部８は、表裏シートの両面に設けてもよく、いずれか片面のみに設けてもよい。
また、切れ止め部８は、複数か所に設けてもよく、切り出し部７の近傍以外にも分離線５の意図しない切断の進行を抑止するために設けてもよい。
切れ止め部８が設けられた分離線５の形状は、分離線５が略直角に屈曲するように設けられていれば任意の形状であってよく、ファイル部４の面内側に三角形状、円弧状形状等に凸状に変形された形状であってよい。
【００１７】
分離線５には、ファイル部４を切り離してファイルホルダーとした時に、ファイルホルダーがめくり易いように、半円状や三角形状の切欠き部を設けてもよい。
分離線５には、また、一部又はファイル部４の角部において、本体部２の面内の内側に向かって凸状に変形されて、ファイル部４を切り取った後の本体部２であるキャリーホルダー部９において、外部部材１０を挟む、挟み片部１１が形成されていることが好ましい。
【００１８】
ファイル部４の大きさは、手提げ袋から形成することができる大きさであれば、特に限定されるものではないが、利用し易さの点でＡ４サイズ又はＢ５サイズに対応した大きさが好ましい。
本体部２の大きさも、特に限定されるものではないが、ファイル部４の大きさの１〜２ランク上の大きさ、例えば、ファイル部４の大きさがＡ４サイズであれば、本体部２の大きさは、Ｂ４サイズ又はＡ３サイズに対応した大きさであることが好ましい。
また、本体部２の大きさは、市販の角型封筒の大きさに揃え、例えば、Ａ３、Ｂ４サイズに対応した角型Ａ３号、角型Ｂ３号封筒が収納できる大きさとすることが好ましく、これにより封筒キャリーホルダーとしての使い勝手が向上する。
【００１９】
手持ち部３は、本体部２の開放された１辺の近傍に設けられ、図１に示した手提げ袋１では、手持ち可能に開けられた開口部の形状で形成されているが、例えば、紐状の手持ち部を開放された１辺の近傍に設けてもよい。
また、手持ち可能に開けられた開口部の形状で形成された手持ち部３の場合には、開口部の周囲にリング状の持ち手や厚手の材料を装着してもよい。
【００２０】
本体部２を形成する材料は、特に限定されるものではなく、例えば、紙材料、樹脂材料、皮革材料、繊維・織物材料、木材料、金属材料等が挙げられるが、手提げ袋としての使い勝手の面からは、型崩れしない程度の硬さと、ものの出し入れに支障が出ない程度に可とう性を有していることが好ましく、ファイルホルダー、キャリーホルダーとして転用する上では、半硬質の樹脂材料、厚手の紙材料であることが好ましい。
手持ち部３を紐状の手持ち部とする場合には、手持ち部３の材料は、本体部２と同一材料であることは要せず、別材料であってよい。
本体部２を形成する表裏一対のシートは、商品、ブランド等のロゴマークやオリジナルデザインのカラー印刷がなされていることが、手提げ袋やファイルホルダー、キャリーホルダーとして利用するのに好ましい。
【００２１】
本体部２からファイル部４を切除いた後のキャリーホルダー部９は、開放された外周辺の１辺から、他のシート、封筒等袋体などの外部部材１０が差し込まれることにより、残りの３辺で外部部材１０の保持が可能になるので、封筒キャリーホルダーとして利用できる。
封筒キャリーホルダーは、キャリーホルダー部９の大きさに合致する封筒を挿入することにより、持ち手の付いた封筒キャリーホルダーとして利用でき、大型のスケッチブック、画板等のキャリーホルダーとしても利用できる。
【００２２】
図４は本発明の他の実施形態に係る手提げ袋２０の概略平面図である。
本実施形態の手提げ袋２０は、表裏一対のシートからなり、外周辺の１辺が開放され、開放された１辺に対向する１辺が表裏シートを接着した底部２１を形成し、残りの２辺が封鎖されて袋状に形成された四角形の本体部２２と、本体部２２の開放された１辺の近傍に設けられた紐状の手持ち部２３と、本体部２２に一体に形成されると共に、本体部２２から切り取られることによって、四角形のファイルとなるファイル部２４と、を備え、ファイル部２４は、本体部２２の底部２１と本体部２２の封鎖された他の１辺で四角形を形成するように本体部２２の面内に形成され、ファイル部２４を本体部２２から切り取るための分離線２５と、分離線２５と底部２１が交わる部位に形成され、ファイル部２４を切り取るための手懸りとなる切り出し口２７と、分離線２５と底部２１に設けられた切り出し口２７が交わる点の近傍に形成され、切り出し口２７からの本体部２２の破裂を制御するための切れ止め部２８を有する。
【００２３】
図５は、図４の手提げ袋２０から作製した封筒キャリーホルダーを説明するための概略図である。図４において、分離線２５に沿ってファイル部２４を切り取った後の本体部２２の残部は、キャリーホルダー部２９となり、開放された外周辺の１辺から、他のシート、封筒等の袋体などの外部部材１０が差し込まれることにより、残りの辺部とバインダー部で外部部材１０の保持が可能になる。
ファイル部２４を本体部２２から切り取るための分離線２５は、ミシン目線、半切れ線、細溝線、印刷線で形成することができ、手提げ袋２０からの分離が容易なように、分離線２５は、ミシン目線、半切れ線、細溝線で形成されることが好ましい。
分離線２５が印刷線である場合のように道具を用いなければ切断不能な場合には、ファイル部２４を切り取るために、はさみ、カッターナイフ等の切断用具を用いる。
【００２４】
ファイル部２４を切り取るための手懸りとなる切り出し口２７は、底部２１に設けられ、ファイル部２４を切り取る際の切り出しを開始する部位である。
切り出し口２７の近傍には、分離線２５上に切れ止め部２８が設けられることが好ましく、切れ止め部２８は、分離線２５が略直角に屈曲するように設けることが好ましく、これにより、手提げ袋使用中に、意図しない形で切り出し口２７から分離線２５の切断が進行して手提げ袋が破袋することを防止する。
切れ止め部２８は、表裏シートの両面に設けてもよく、いずれか片面のみに設けてもよい。
切れ止め部２８が設けられた分離線２５の形状は、分離線５が略直角に屈曲するように設けられていれば任意の形状であってよく、ファイル部２４の面内側に三角形状、円弧状形状等に凸状に変形された形状であってよい。
また、分離線２５には、ファイル部２４を切り離してファイルホルダーとした時に、ファイルホルダーがめくり易いように、半円状や三角形状の切欠き部を設けてもよい。
【００２５】
本実施形態の手提げ袋２０は、使用の際にバインダーを共に用いてもよい。
バインダーは、手提げ袋２０を用いる際には、手提げ袋２０の開放部を閉める口金として利用し、ファイル部２４を切り離した後の封筒キャリーホルダーにおいて、キャリーホルダー部２９のシート上から外部部材１０を挟みつけ、外部部材１０を保持するように用いることができる。
用いるバインダーの大きさに特に制限はなく、外部部材１０の一部を挟みつけるものであっても、手提げ袋２０の開放部全体を閉じることができるものであってもよいが、折り畳んだキャリーホルダーと共にポケット等に収納できる程度の小型のものが、携帯性の点で好ましい。
手持ち部２３の下部に、外部部材１０を
本体部２２、ファイル部２４の大きさ、手持ち部２３の形状、手提げ袋２０の材料については、前述の実施形態における手提げ袋１と同様であるので省略する。
【００２６】
本発明は、手提げ袋の一部を切り離して、そのデザインをそのまま利用したクリアファイルと呼ばれる２方開きのファイルホルダーを作成することができ、更に、これまでは捨てられていたファイルホルダーを切り離した残り部分を、大型封筒等の板状物の持ち運びのための嵩張らず簡便なキャリーホルダーとして利用することができるようにした、無駄なく再利用可能な手提げ袋が得られる。
本発明の手提げ袋を商品の包装材として用いることにより、購入商品に加え顧客に喜ばれる付加サービスを提供することができるので、店舗の販売促進に役立つ。
【符号の説明】
【００２７】
１、２０      手提げ袋
２、２２      本体部
３、２３      手持ち部
４、２４      ファイル部
５、２５      分離線
６      接合線
７      切り出し部
８、２８      切れ止め部
９、２９      キャリーホルダー部
１０      外部部材
１１、３１      挟み片部
２１      底部
２７      切り出し口
【図１】
2017086402.tif 000003
【図２】
2017086402.tif 000004
【図３】
2017086402.tif 000005
【図４】
2017086402.tif 000006
【図５】
2017086402.tif 000007